(57)【要約】【課題】  運転者が視線を動かすことなく、ステアリングを握った状態で操作することができ、運転に注意を払いながら直感的かつ容易に操作できる車載移動無線機を得る。【解決手段】  プレストーク通信の送話と受話とを切り替えるプレス操作スイッチ８を車両のステアリング２１のステアリング台に備え、制御手段１１がプレス操作スイッチ８のプレス操作に基づいて送話と受話とを切り替え制御し、受話を行うとき車内に配置されたハンドフリーマイク３から音声を入力するように制御する。【選択図】        図１
2005205959.tif 000002
【特許請求の範囲】
【請求項１】
切り替え手段の操作に基づいて制御手段が送話と受話とを切り替えてプレストーク通信を制御する車載移動無線機において、
前記切り替え手段を車両のステアリング操作部に備え、
前記制御手段は、前記ステアリング操作部に備えられた切り替え手段の操作に基づいて車内に配置されたハンドフリーマイクから音声を入力するように制御することを特徴とする車載移動無線機。
【請求項２】
切り替え手段を、送話と受話とを切り替える操作部位をレバー状に形成しステアリング操作部を成すステアリング台に当該ステアリング台の側方へ突出するように備え、前記レバー状の操作部位がプレス操作されることにより送話と受話とを切り替える操作信号を制御手段へ出力するように構成したことを特徴とする請求項１記載の車載移動無線機。
【請求項３】
切り替え手段は、制御手段に発呼先へ呼を上げさせる短縮発呼スイッチをレバー状の側面に備えたことを特徴とする請求項２記載の車載移動無線機。
【請求項４】
切り替え手段は、制御手段に受話の音量を調整させる音量調整スイッチをレバー状の縁端部位に備えたことを特徴とする請求項２記載の車載移動無線機。
【請求項５】
切り替え手段を、ステアリング操作部を成すステアリングスポーク部位に備えられた送話と受話とを切り替える通話スイッチによって構成したことを特徴とする請求項１記載の車載移動無線機。
【請求項６】
切り替え手段と共にステアリングスポーク部位に発呼先に対応させた短縮発呼スイッチを備えたことを特徴とする請求項５記載の車載移動無線機。
【請求項７】
切り替え手段と共にステアリングスポーク部位に音量調整スイッチを備えたことを特徴とする請求項５記載の車載移動無線機。
【請求項８】
第一切り替え手段を有するハンドマイクの操作に基づいてプレストーク通信を制御する制御手段を備えた車載移動無線機において、
車両のステアリング操作部にプレストーク通信を行うとき操作される第二切り替え手段を備え、
前記制御手段は、前記第一切り替え手段の操作により通信が開始されたとき前記ハンドマイクから音声を入力して通信を行うように制御し、前記第二切り替え手段の操作により通信が開始されたとき車内に配置されたハンドフリーマイクから音声を入力して通信を行うように制御することを特徴とする車載移動無線機。
【発明の詳細な説明】
【技術分野】
【０００１】
この発明は、運転者によって操作される操作スイッチと、当該操作に基づく制御を行う制御手段とを有する車載移動無線機に関するものである。
【背景技術】
【０００２】
従来の車載移動無線機の操作部は、ステアリングホイールへ同体として取り付けられ、例えば二値信号を生成する押しボタン式の操作スイッチによって構成される。この操作スイッチは、操作されている間、即ちボタン部分が押されている間、一定の制御電圧をハンドフリーテレフォン操作ユニット（以下、ＨＦＴＵと記載する）へ入力するように構成されている。ステアリングホイールには操作スイッチの他に、例えばラジオ用動作スイッチやオートクルーズ用動作スイッチなどが設けられる。
【０００３】
操作スイッチの操作を、例えば、２秒間の内に継続して１秒以下の押し操作が１回行われた場合を第１操作とし、また２秒間の内に継続して１秒以上の押し操作が１回行われた場合を第２操作とし、また２秒間の内に断続的に複数回の押し操作が行われた場合を第３操作として定めておく。ＨＦＴＵは、これら第１〜第３操作に基づいて当該無線機を異なった使用状態に移行させる。このように、ＨＦＴＵは操作スイッチの押し操作回数と操作が行われる時間によって第１〜第３操作を識別することから、ＨＦＴＵには操作スイッチの押し時間を計測するタイマと操作回数を数えるカウンタが備えられ、一定時間内の操作スイッチの押し操作に対して無線機の動作制御が行われる（例えば、特許文献１参照）。
【０００４】
【特許文献１】特開２００１−７１８３５号公報（第２頁〜第３頁、図１〜図３）
【発明の開示】
【発明が解決しようとする課題】
【０００５】
従来の車載移動無線機は以上のように構成されているので、当該無線機を操作するとき運転者は操作スイッチの操作回数と所望の機能との対応関係を覚えていなければならず、また、タイマによって計測される時間内に操作スイッチの操作回数を数えながら操作しなければならないことから、単純な構成で操作内容も容易である反面、意識を集中させて操作しなければならないという課題があった。また、単一の操作スイッチを操作することから、例えば音量調整のような調整操作が煩雑になるという課題があった。
【０００６】
この発明は上記のような課題を解決するためになされたもので、運転者が視線を動かすことなく、ステアリングを握った状態で操作することができ、運転に注意を払いながら直感的かつ容易に操作できる車載移動無線機を得ることを目的とする。
【課題を解決するための手段】
【０００７】
この発明に係る車載移動無線機は、切り替え手段を車両のステアリング操作部に備え、制御手段がステアリング操作部に備えられた切り替え手段の操作に基づいて車内に配置されたハンドフリーマイクから音声を入力するように制御するものである。
【発明の効果】
【０００８】
この発明によれば、切り替え手段を車両のステアリング操作部に備え、制御手段がステアリング操作部に備えられた切り替え手段の操作に基づいて車内に配置されたハンドフリーマイクから音声を入力するように制御するようにしたので、運転中にステアリングから手を離すことなく、移動機本体１の操作をプレス操作スイッチ８スイッチだけで直感的かつ容易に最小限の動作で行うことができ、またハンドフリー通話を行うことができ、運転者の負担を軽減することができるという効果がある。
【発明を実施するための最良の形態】
【０００９】
以下、この発明の実施の一形態を説明する。
実施の形態１．
図１は、この発明の実施の形態１による車載移動無線機の構成を示すブロック図である。移動機本体１は、無線信号を送受信するアンテナ２、ハンドフリーマイク３、ハンドマイク４及びプレス操作スイッチ（切り替え手段，第一切り替え手段）８に接続される。ハンドフリーマイク３は、移動機本体１の音声入出力部１４に接続される。ハンドマイク４は、マイクロホン部４ａとハンドマイクスピーカ５とプレストークボタン（第二切り替え手段）６とハンドマイク操作部７とを備え、マイクロホン部４ａ及びハンドマイクスピーカ５は移動機本体１の音声入出力部１４に接続される。プレストークボタン６及びハンドマイク操作部７は、移動機本体１の制御部（制御手段）１１に接続される。プレス操作スイッチ８は、プレス操作スイッチ８のプレス操作によってＯＮ／ＯＦＦするスイッチ手段と短縮発呼スイッチ９と音量調整スイッチ１０とを備え、それぞれ移動機本体１の制御部１１に接続される。
【００１０】
移動機本体１は、音声入出力部１４によって生成された音声データ等を制御部１１の制御に基づいて無線信号に変換し、アンテナ２を用いて外部へ送信する送信部１２と、アンテナ２を用いて外部から受信した無線信号を音声データ等へ変換する受信部１３とを備える。また、ハンドマイク４あるいはハンドフリーマイク３から取得した音声信号に基づいて所定の音声データを生成して制御部１１の制御に基づいて送信部１２へ出力する、また制御部１１の制御に基づいて受信部１３から出力された音声データを音声に再生可能な音声信号に変換してハンドマイクスピーカ５へ出力する音声入出力部１４を備える。また、送信部１２、受信部１３、音声入出力部１４の動作を制御する制御部１１を備える。この制御部１１は、運転者によってプレストークボタン６、ハンドマイク操作部７、プレス操作スイッチ８、短縮発呼スイッチ９、音量調整スイッチ１０に行われた操作に基づいて前述の各部を制御し、当該移動機本体１の動作を制御する。
【００１１】
図２は、実施の形態１による車載移動無線機の配置を示す説明図である。図１に示したものと同一部分に同じ符号を使用し、その説明を省略する。ハンドフリーマイク３は、運転者の口元周辺の音声を拾う集音特性を有するもので、例えば車内のダッシュボード２０の上面に運転席に着座した運転者の口元周辺へ向けて設置され、図中破線で示したマイク配線２２によって移動機本体１に接続される。移動機本体１は、ダッシュボード２０のセンターコンソール等に設置され、ハンドフリーマイク３の他に、図中破線で示した制御配線２３によってプレス操作スイッチ８と接続され、また、カールケーブル２４によってハンドマイク４と接続される。また、移動機本体１には、図２では図示を省略したアンテナ２、電源供給手段等が接続される。
【００１２】
ハンドマイク４は、音声を所定の電気信号へ変換するマイクロホン部４ａの他に、音声を出力するハンドマイクスピーカ５と、送信権を取得するとき、即ち、送信する音声を移動機本体１へ入力するときプレス操作が行われるプレストークボタン６と、複数の操作キーから成るハンドマイク操作部７と、移動機本体１の動作状態やハンドマイク操作部７またはプレス操作スイッチ８の操作によって設定・調整された内容を表示する表示部７ａとを備える。表示部７ａは、制御部１１の制御に基づいて各表示が行われ、例えば、移動機本体１が通話動作を行っているときは、通話時間を制限するように設定されている場合には残り時間を表示し、また基地局等の発呼先を表示する。また、ハンドマイクスピーカ５から出力される音量の調整が行われているときは音量レベルを表示する。ハンドマイク操作部７は、終話キー、音量調整キー、所定の発呼先を登録させておく短縮発呼キー、発呼先の登録などの各機能の選択や設定を行うテンキー等を備える。ハンドマイク４は、運転者が操作しないとき図示を省略したフック等により移動機本体１あるいはダッシュボード２０等に掛止される。
【００１３】
プレス操作スイッチ８は、ステアリング（ステアリング操作部）２１のコラム部分を成すステアリング台から側方へ突出するように備えられ、図中破線で示した制御配線２３によって移動機本体１に接続される。プレス操作スイッチ８はレバー形状をしており、レバーを成す部分の外周面には押しボタン式の短縮発呼スイッチ９が複数設けられ、レバー縁端部位には回動式の音量調節スイッチ１０が設けられる。また、プレス操作スイッチ８は、制御配線２３によって電気的に移動機本体１に接続される。
【００１４】
図３は、実施の形態１による車載移動無線機のプレス操作スイッチの配置を示す説明図である。図１、図２に示したものと同一部分に同じ符号を使用し、その説明を省略する。図２に示すように、プレス操作スイッチ８は、運転席に着座した運転者がステアリング２１を握った状態で操作できるように、ステアリング台（ステアリング操作部）３０の上面３０ａに固定台３１を介して設置される。固定台３１は固定用バンド３２によってステアリング台３０に取り付けられる。ステアリング台３０の側面には、例えば運転者からみて右側にウィンカーレバー３３が備えられ、プレス操作スイッチ８は、ウィンカーレバー３３や当該プレス操作スイッチ８を操作したとき、相互に障害が発生しないように配置される。
【００１５】
図４は、実施の形態１による車載移動無線機のプレス操作スイッチの構成を示す説明図である。図１〜図３に示したものと同一あるいは相当する部分に同じ符号を使用し、その説明を省略する。この図４はステアリング台３０を上方からみた場合の概略構成を示すものである。図中ステアリング台３０の上側に図示を省略したダッシュボード２０が配置され、下側に図示を省略したステアリング２１が配置される。図５は、実施の形態１による車載移動無線機のプレス操作スイッチの配置を示す説明図である。図１〜図４に示されたものと同一あるいは相当する部分に同じ符号を使用し、その説明を省略する。図５は、運転者側からプレス操作スイッチ８の配置をみた場合の概略斜視図である。固定台３１は、ステアリング台３０の外周を締めるように備えられた固定バンド用３２によってステアリング台３０の上面３０ａに固定される。
【００１６】
図３〜図５に示したように、プレス操作スイッチ８は、上方に延設された円柱部位８ａによって固定台３１に支えられ、この円柱部位８ａから斜め上方へ延設され、さらにステアリング台３０から適量離れた部位から水平に延設されたレバー状に形成される。円柱部位８ａは固定台３１に回動自在に取り付けられ、円柱部位８ａと固定台３１の取り付け部位には、例えばプレス操作スイッチ８が運転者側に引き寄せられるように操作され、この操作が解除されたときプレス操作スイッチ８が元の位置に戻るように、図示を省略した付勢手段を備えて構成される。また、円柱部位８ａが回動することにより、プレス操作スイッチ８は図４及び図５に示した破線の矢印Ｂで示されるように概略摺動し、この摺動範囲を制限する図示を省略したストッパ等の機構を、例えば固定台３１に備える。また、プレス操作スイッチ８には、このような摺動、即ち運転者のプレス操作によりＯＮ／ＯＦＦする図示を省略したスイッチ手段を備える。プレス操作スイッチ８は、前述のように付勢手段を備えていることから、スイッチ手段はプレス操作が行われている間のみＯＮ状態となり、プレス操作が行われている間のみＯＮ状態を示すプレス操作信号が移動機本体１へ出力される。
【００１７】
プレス操作スイッチ８は、レバー状の部分の縁端近傍の側面に、運転者に対向するようにレバー状の延設方向に一列に並んだ複数の短縮発呼スイッチ９を備え、さらにそのレバー状の縁端部位に音量調整スイッチ１０を備える。この音量調整スイッチ１０は、図３に示した破線の矢印Ａで示されるように回動操作される。短縮発呼スイッチ９は、前述のように例えば押しボタン式のスイッチから成り、押し操作が行われたとき有意を示す信号を移動機本体１へ出力するように構成される。音量調整スイッチ１０は、回動させることによって例えば抵抗値等が変化するように構成されたもので、移動機本体１の制御部１１と接続され、制御部１１の制御に基づいてハンドマイクスピーカ５から出力される音声の音量を調整するように構成される。
【００１８】
次に動作について説明する。
移動機本体１は、プレス操作スイッチ８のプレス操作あるいは短縮発呼スイッチ９の操作により、着信の応答や発呼等の処理を行って外部と通信を開始した場合は、プレス操作スイッチ８のプレス操作によって送信権の取得を行う。また、ハンドマイク４のプレストークボタン６の操作あるいはハンドマイク操作部７の短縮発呼キーなどの操作により、着信の応答や発呼等の処理を行って外部と通信を開始した場合は、プレストークボタン６の操作によって送信権の取得を行う。このように移動機本体１は二つの操作系統を有し、制御部１１は、プレス操作スイッチ８等が操作された場合とハンドマイク４等が操作された場合に応じて送信部１２、受信部１３、音声入出力部１４等の各部を制御し、受話状態と送話状態とを切り替える。また、プレス操作スイッチ８または短縮発呼スイッチ９が操作されて通信を開始した場合、制御部１１は、通話時の音声入力にはハンドフリーマイク３を、音声出力にはハンドマイクスピーカ５を使用するように音声入出力部１４を制御し、またハンドマイク４のマイクロホン部４ａからの音声入力を無効にする。また、プレストークボタン６またはハンドマイク操作部７が操作されて通信を開始した場合、制御部１１は、通話時の音声入力にはハンドマイク４のマイクロホン部４ａを、音声出力にはハンドマイクスピーカ５を使用するように音声入出力部１４を制御し、またハンドフリーマイク３からの音声入力を無効にする。
【００１９】
次に移動機本体１、プレス操作スイッチ８、ハンドマイク４等の詳細な動作を説明する。
初めに、着信時の動作を説明する。通常は終話状態を維持している移動機本体１に外部から着信があったとき、受信部１３は、受信した無線信号に所定の処理を行い、当該着信を制御部１１へ報知する。着信が報知された制御部１１は、着信を運転者へ知らせる処理を行い、例えば音声入出力部１４を制御してハンドマイクスピーカ５から所定の通報音等を出力させる。運転者はステアリング２１を握った状態でプレス操作スイッチ８を、例えば手前に引き寄せ、またすぐに手を離し、ショットキー操作のように所定時間だけＯＮ状態となるようにプレス操作を一回行う。制御部１１は、プレス操作スイッチ８から一回のプレス操作によるＯＮ状態を示すプレス操作信号を入力すると、受信部１３から出力された音声データを音声入出力部１４へ送り、音声入出力部１４を制御して当該音声データを音声として出力できるように処理させる。音声入出力部１４は、制御部１１の制御に基づいて、ハンドマイクスピーカ５を用いて当該音声を再生する。このように制御部１１は移動機本体１の各部を制御して受話状態とする。
【００２０】
受話に対して返答を送信する場合、運転者は受話内容を聞き取った後、プレス操作スイッチ８を手前に引き寄せ、すぐにプレス操作スイッチ８を離してプレス操作を一回行い、送信権を取得する。このように移動機本体１が受話状態でプレス操作スイッチ８が一回プレス操作され、制御部１１に当該一回プレス操作のＯＮ状態を示すプレス操作信号が入力されたとき、制御部１１は、音声入出力部１４を制御してハンドフリーマイク３から入力された音声を所定の音声データに変換させて送信部１２へ送り、送信部１２を制御して当該音声データを無線信号に変換させて外部へ送信させる。このように移動機本体１の各部を制御し、当該移動機本体１を送話状態とする。このとき、制御部１１はハンドフリーマイク３の入力を有効とし、ハンドマイク４のマイクロホン部４ａの入力を無効とするように音声入出力部１４を制御する。運転者は、送話から受話に切り替えるとき再びプレス操作スイッチ８を手前へ引き寄せ、すぐにプレス操作スイッチ８を離してプレス操作を一回行う。移動機本体１が送話状態に制御されているとき、プレス操作スイッチ８にプレス操作が一回行われると、制御部１１は、移動機本体１の各部を前述のように制御して移動機本体１を受話状態に移行させる。
【００２１】
このように、着信があったときに運転者がプレス操作スイッチ８を操作して通信を開始した場合は、所定の時間内にプレス操作スイッチ８を二回操作し、即ち、二回プレス操作を連続して行って通信を終了させる。制御部１１は、所定の時間内に二回連続してプレス操作されたことを示す、即ち、連続した二回のＯＮ状態を示すプレス操作信号がプレス操作スイッチ８から入力されると、移動機本体１の動作が終話状態となるように送信部１２、受信部１３、音声入出力部１４等を制御する。
【００２２】
また、外部から移動機本体１に着信があったときに、前述のプレス操作スイッチ８の操作の替わりに、ハンドマイク４のプレストークボタン６が操作された場合も、移動機本体１の制御部１１は、受信部１３から出力された音声データ等を同様に処理し、音声入出力部１４を制御してハンドマイクスピーカ５から音声を出力させる。このように着信に対して処理したとき、制御部１１は、ハンドフリーマイク３からの音声入力を無効にしてハンドマイク４のマイクロホン部４ａの音声入力を処理するように音声入出力部１４を制御し、送話する音声をマイクロホン部４ａから入力させる。また、送話と受話の切り替えはプレストークボタン６のプレス操作に基づいて行われ、制御部１１は、例えばプレストークボタン６が押されている間、送信部１２を送信状態となるように制御し、プレストークボタン６が離されたとき、受信部１３等を駆動させて受信した無線信号が音声として出力されるように制御する。着信があったとき、運転者がハンドマイク４のプレストークボタン６を操作して通信を開始した場合は、ハンドマイク操作部７に備えられている終話キーを操作して通信を終了させる。制御部１１は、終話キーが操作された旨を示す信号がハンドマイク４のハンドマイク操作部７から出力されると、移動機本体１の動作が終話状態となるように送信部１２、受信部１３、音声入出力部１４等を制御する。
【００２３】
次に、外部へ無線信号を送信する場合の動作を説明する。
移動機本体１から発呼を行うとき、運転者はプレス操作スイッチ８を例えば手前に引き寄せ、そのプレス操作スイッチ８を離して一回ショットのプレス操作を行う。移動機本体１の各部が終話状態に制御され、また着信もないとき、このようなプレス操作が行われると、移動機本体１の制御部１１は、送信部１３を制御して予め設定されているデフォルト発呼先へ呼を上げ、その後、発呼先から送られた無線信号を受信する受話状態に各部を制御する。当該発呼先とプレストーク通信を行う場合の各部の動作は、前述の受話状態と送話状態の動作説明と同様である。
【００２４】
なお、デフォルト発呼先は、予めハンドマイク操作部７を操作して制御部１１を発呼先登録モードに設定し、ハンドマイク操作部７のテンキー等を操作し所望のデフォルト発呼先を登録しておく。デフォルト発呼先登録モードの制御部１１は、表示部７ａに登録操作を指示する内容を表示させながら、テンキーによって入力された内容に基づいてデフォルト発呼先の登録処理を行う。
【００２５】
前述のデフォルト発呼先以外に発呼する場合は、運転者が、プレス操作スイッチ８を操作する前にプレス操作スイッチ８に備えられた複数の短縮発呼スイッチ９の中から所望の短縮発呼スイッチ９を押して発呼先を指定する。各短縮発呼スイッチ９には、予め任意の発呼先をそれぞれ対応させて登録しておく。発呼先の登録は、予めハンドマイク操作部７のテンキー等を操作して、表示部７ａの表示内容に従いながら制御部１１の制御を発呼先登録モードとしておき、それぞれの短縮発呼スイッチ９のボタンに一つの発呼先を対応させて登録する。このように各短縮発呼スイッチ９に発呼先が登録された状態で、運転者が短縮発呼スイッチ９を操作すると、制御部１１は、操作された短縮発呼スイッチ９に対応する発呼先へ呼を上げるように送信部１２等を制御する。このように短縮発呼スイッチ９に対して発呼先を設定しておくことにより、一度の操作で所望の発呼先へ呼を上げることができる。このようにプレス操作スイッチ８、あるいは短縮発呼スイッチ９を操作して通信を開始した場合は、前述のプレス操作スイッチ８を操作して着信に応答して通信を開始した場合と同様に、所定時間内においてプレス操作スイッチ８を二回連続してプレス操作し、制御部１１に前述の説明と同様な終話処理を行わせる。
【００２６】
ここまで説明した外部へ無線信号を送信する動作、特に発呼動作は、プレス操作スイッチ８を操作する場合の動作説明で、この他にハンドマイク４に備えられたプレストークボタン６を操作することにより、デフォルト発呼先へ呼を上げることもできる。また、ハンドマイク操作部７を操作することにより、移動機本体１に予め登録されている任意の発呼先へ呼を上げることもできる。移動機本体１の各部が終話状態に制御され、着信もない状態においてハンドマイク４のプレストークボタン６が操作された場合、制御部１１はデフォルト発呼先に呼を上げるように送信部１２等を制御する。また、ハンドマイク４のハンドマイク操作部７に備えられた短縮発呼キー等にも、プレス操作スイッチ８の短縮発呼スイッチ９と同様に予め発呼先を登録させておくと、制御部１１はハンドマイク操作部７の短縮発呼キーが操作された場合も、前述の短縮発呼スイッチ９を操作した場合と同様に予め登録されている発呼先へ呼を上げる制御を行う。このようにプレストークスイッチ６、あるいはハンドマイク操作部７の短縮発呼キーを操作して通信を開始した場合は、ハンドマイク操作部７の終話キーを操作して通信を終了させる。
【００２７】
また、ハンドマイク４を操作して外部へ発呼を上げる場合、表示部７ａに発呼先登録リストを表示させ、その登録リストの中から所望の発呼先を選択することもできる。発呼先登録リストは、前述のデフォルト発呼先と同様に予めハンドマイク操作部７を操作して、制御部１１を発呼先登録モードに設定し、表示部７ａの表示内容に従ってハンドマイク操作部７のテンキーを操作して、所望の発呼先を登録する。発呼先登録モードの制御部１１は、表示部７ａに登録操作を指示する内容を表示させながら、テンキーによって入力された内容に基づいて発呼先の登録処理を行う。このようにして複数の発呼先が登録されている場合に、制御部１１は、ハンドマイク操作部７が操作されて発呼先登録リストの表示が要求されたとき、当該発呼先登録リストを表示部７ａに表示させ、ハンドマイク操作部７の操作により選択された発呼先へ呼を上げるように送信部１２を制御する。
【００２８】
プレス操作スイッチ８のプレス操作あるいは短縮発呼スイッチ９の操作により通信を開始した場合、この通話中において運転者がプレス操作スイッチ８の音量調整スイッチ１０を回動操作すると、制御部１１は、音量調整スイッチ１０の操作量に応じて音声入出力部１４を制御してハンドマイクスピーカ５から出力される音声の音量を調整する。また、ハンドマイク４のプレストークスイッチ６あるいはハンドマイク操作部７が操作されて通信を開始した場合、この通話中において運転者がハンドマイク操作部７の音量調整キーを操作すると、制御部１１は、音量調整キーの操作量に応じて音声入出力部１４を制御してハンドマイクスピーカ５から出力される音声の音量を調整する。
【００２９】
以上のように、実施の形態１によれば、ハンドフリーマイク３をダッシュボードに配置し、ステアリング台３０に短縮発呼スイッチ９及び音量調整スイッチ１０を備えたプレス操作スイッチ８を配置したので、運転者は運転中にステアリングから手を離すことなく、移動機本体１の操作をプレス操作スイッチ８スイッチだけで直感的かつ容易に最小限の動作で行うことができ、またハンドフリー通話を行うことができ、簡素な操作を可能にすることにより運転者の負担を軽減することができるという効果がある。
【００３０】
また、ハンドフリーマイク３及びプレス操作スイッチ８の他に、ハンドマイク操作部７及びプレストークスイッチ６等を有するハンドマイク４を備えたので、ハンドマイク４を用いることにより、運転者以外でも通話を行うことが出来るという効果がある。
【００３１】
実施の形態２．
図６は、この発明の実施の形態２による車載移動無線機の構成を示す説明図である。この図は、実施の形態２による車載移動無線機の操作に使用する各スイッチ等を、車両のステアリングスポークに備えた場合の構成を示したものである。ここでは実施の形態１の車載移動無線機と同様に構成される部分の説明を省略し、実施の形態２による車載移動無線機の特徴となる部分について説明する。ステアリング（ステアリング操作部）２１ａは、通話スイッチ４０と音量調整スイッチ４２と短縮発呼スイッチ４１とをスポーク部分に備えたもので、これらのスイッチは運転席に着座した運転者がステアリング２１ａを握った状態で操作できるように配置される。また、実施の形態２による車載移動無線機は、実施の形態１で説明した移動機本体１、ハンドフリーマイク３及びハンドマイク４を備え、これらは図１等に示したものと同様に構成され、また図２に示したように配置される。
【００３２】
通話スイッチ４０は、実施の形態１で説明したプレス操作スイッチ８のスイッチ手段に相当し、図１に示した移動機本体１の制御部１１に接続される。短縮発呼スイッチ４１は、プレス操作スイッチ８に備えられた短縮発呼スイッチ９に相当し、制御部１１に接続される。また、音量調整スイッチ４２は図６に例示したものは、音量を増大させる「＋」スイッチと音量を減少させる「−」スイッチとを対として構成したもので、図２等に示した回動式の音量調整スイッチ１０に相当する作用を有し、音声入出力部１４に接続される。通話スイッチ４０、短縮発呼スイッチ４１、及び音量調整スイッチ４２は、例えば、押し操作がなされている間のみＯＮ状態となるアンロックタイプの押しボタン式スイッチにて構成される。
【００３３】
次に動作について説明する。
実施の形態２による車載移動無線機は、前述のように実施の形態１による車載移動無線機を構成するプレス操作スイッチ８等と同様な機能を有する各スイッチをステアリング２１ａのスポーク部分に備えたもので、実施の形態２による移動機本体１の制御部１１は、実施の形態１で説明したものと概ね同様に動作するものである。ここでは、実施の形態１による車載移動無線機と同様な動作について説明を省略し、実施の形態２による車載移動無線機の特徴となる動作を説明する。
【００３４】
移動機本体１が終話状態において外部から着信があったとき、運転者は通話スイッチ４０を一回押す。このように操作されたとき制御部１１は、実施の形態１で説明した終話状態でプレス操作スイッチ８が一回プレス操作された場合と同様に、受信部１３及び音声入出力部１４等を制御し、移動機本体１を受話状態に制御する。運転者が受話から送話へ切り替えるときには、通話スイッチ４０を一回押す。このように操作されたとき制御部１１は、実施の形態１で説明した受話状態でプレス操作スイッチ８が一回プレス操作された場合と同様に、送信部１２、受信部１３及び音声入出力部１４等を制御し、移動機本体１を送話状態に制御する。また、運転者が送話から受話へ切り替えるときも、通話スイッチ４０を一回押す。このように操作されたとき制御部１１は、実施の形態１で説明した送話状態でプレス操作スイッチ８が一回プレス操作された場合と同様に移動機本体１を受話状態に制御する。また、通話スイッチ４０を操作して着信に応答し通信を開始した場合は、所定時間内において二回連続して通話スイッチ４０の押し操作を行う。このように通話スイッチ４０が操作された場合、制御部１１は、移動機本体１の動作が終話状態となるように送信部１２、受信部１３、音声入出力部１４等を制御する。
【００３５】
外部へ移動機本体１から発呼を行うとき、運転者は通話スイッチ４０を一回押す。移動機本体１の各部が終話状態に制御され、また着信もないとき、このように操作されたとき制御部１１は、送信部１２を制御して予め設定されているデフォルト発呼先へ呼を上げ、その後、発呼先から送られた無線信号を受信する受話状態に各部を制御する。当該発呼先とプレストーク通信を行う場合の送信部１２、受信部１３及び音声入出力部１４等の各部の動作は、実施の形態１で説明した受話状態と送話状態の動作説明と同様である。なお、デフォルト発呼先は、実施の形態１で説明したように予めハンドマイク操作部７を操作して登録しておく。
【００３６】
デフォルト発呼先以外に発呼する場合は、運転者が、通信スイッチ４０を操作する前にステアリング２１ａに備えられた複数の短縮発呼スイッチ４１の中から所望の短縮発呼スイッチ４１を押して発呼先を指定する。各短縮発呼スイッチ４１には、予め任意の発呼先をそれぞれ対応させて登録しておく。発呼先の登録は、実施の形態１で説明したように予めハンドマイク操作部７のテンキー等を操作して発呼先を設定しておく。このように通話スイッチ４０、あるいは短縮発呼スイッチ４１を操作して通信を開始した場合は、通話スイッチ４０を操作して着信に応答して通信を開始した場合と同様に、所定時間内において通話スイッチ４０を二回連続して押し操作し、制御部１１に前述の説明と同様な終話処理を行わせる。
【００３７】
通話スイッチ４０のプレス操作あるいは短縮発呼スイッチ４１の操作により通信を開始した場合、この通話中において運転者が音量調整スイッチ４２を操作すると、制御部１１は、音量調整スイッチ４２の操作に応じて音声入出力部１４を制御してハンドマイクスピーカ５から出力される音声の音量を調整する。制御部１１は、運転者が音量調整スイッチ４２の「＋」スイッチを押し続けた時間に応じて、あるいは押した回数に応じて、音量が増大するように音声入出力部１４を制御し、また、運転者が音量調整スイッチ４２の「−」スイッチを押し続けた時間に応じて、あるいは押した回数に応じて音量が減少するように音声入出力部１４を制御する。
【００３８】
なお、ここでは説明を省略したが、実施の形態２による移動機本体１の制御部１１は、実施の形態１で説明したようにハンドマイク４のプレストークボタン６及びハンドマイク操作部７が操作された場合は、実施の形態１で説明したように送信部１２、受信部１３及び音声入出力部１４等を制御し、同様に動作させる。
【００３９】
以上のように、実施の形態２によれば、ハンドフリーマイク３をダッシュボード２０に配置し、ステアリング２１ａのスポーク部分に通話スイッチ４０、短縮発呼スイッチ４１及び音量調整スイッチ４２を備えたので、運転者は、運転中にステアリング２１ａから手を離すことなく、移動機本体１の操作を直感的かつ容易に最小限の動作で行うことができ、またハンドフリー通話を行うことができ、簡素な操作を可能にすることにより運転者の負担を軽減することができるという効果がある。
【００４０】
また、ハンドフリーマイク３、通話スイッチ４０、短縮発呼スイッチ４１及び音量調整スイッチ４２の他に、ハンドマイク操作部７及びプレストークスイッチ６を有するハンドマイク４を備えたので、ハンドマイク４を用いることにより、運転者以外でも通話を行うことが出来るという効果がある。
【図面の簡単な説明】
【００４１】
【図１】この発明の実施の形態１による車載移動無線機の構成を示すブロック図である。
【図２】実施の形態１による車載移動無線機の配置を示す説明図である。
【図３】実施の形態１による車載移動無線機のプレス操作スイッチの配置を示す説明図である。
【図４】実施の形態１による車載移動無線機のプレス操作スイッチの構成を示す説明図である。
【図５】実施の形態１による車載移動無線機のプレス操作スイッチの配置を示す説明図である。
【図６】この発明の実施の形態２による車載移動無線機の構成を示す説明図である。
【符号の説明】
【００４２】
１  移動機本体、２  アンテナ、３  ハンドフリーマイク、４  ハンドマイク、５  ハンドマイクスピーカ、６  プレストークボタン（第二切り替え手段）、７  ハンドマイク操作部、８  プレス操作スイッチ（切り替え手段，第一切り替え手段）、９  短縮発呼スイッチ、１０  音量調整スイッチ、１１  制御部（制御手段）、１２  送信部、１３  受信部、１４  音声入出力部、２０  ダッシュボード、２１，２１ａ  ステアリング（ステアリング操作部）、２２  マイク配線、２３  制御配線、２４  カールケーブル、３０  ステアリング台、３１  固定台、３２  固定用バンド、３３  ウィンカーレバー、４０  通話スイッチ、４１  短縮発呼スイッチ、４２  音量調整スイッチ。
【図１】
2005205959.tif 000003
【図２】
2005205959.tif 000004
【図３】
2005205959.tif 000005
【図４】
2005205959.tif 000006
【図５】
2005205959.tif 000007
【図６】
2005205959.tif 000008